(57)【特許請求の範囲】
【請求項１】
利用者の選曲に対して予約待ち行列に登録するものであり、所定の利用者の特定の楽曲を自動的に当該予約待ち行列に登録させる自動選曲機能を備えるカラオケシステムであって、
利用者データベース、利用者ＩＤ取得部、指定楽曲取得手段、自動選曲処理手段を有するものであり、
前記利用者データベースには、少なくとも、利用者毎に、当該利用者が指定する楽曲につき、利用者が設定した歌唱指定日、歌唱期間、歌唱指定曜日、歌唱指定日に歌唱指定曜日の組み合わせ、又は、前記歌唱期間に歌唱指定曜日の組み合わせが登録され、
前記利用者ＩＤ取得部は、利用者より利用者ＩＤを取得し、
前記指定楽曲取得手段は、取得した利用者ＩＤに基づいて、前記利用者データベースに登録されている指定楽曲情報を取得し、
前記自動選曲処理手段は、前記取得した当該利用者の指定楽曲情報に基づいて、利用日と、前記歌唱指定日、歌唱期間、歌唱指定曜日、歌唱指定日に歌唱指定曜日の組み合わせ、又は、歌唱期間に歌唱指定曜日の組み合わせとが合致した楽曲を抽出して前記予約待ち行列に登録させる、
ことを特徴とする自動選曲機能を備えるカラオケシステム。
【発明の詳細な説明】
【技術分野】
【０００１】
本発明は、所定の利用者の選曲の際に特定の楽曲を表示させる自動選曲機能を備えるカラオケシステムに関する。
【背景技術】
【０００２】
近年、カラオケシステムを利用してカラオケ歌唱を楽しむことが一般的となってきており、思い入れ楽曲を持っている利用者も多い。思い入れ楽曲は、得意としていつでも歌唱する楽曲の他に、日付等やイベントに関連した楽曲の場合もあることから、当該日付等やイベントに関連した楽曲を利用者の選曲の際に表示させて利便性を向上させることが望ましい。
【０００３】
従来、所定の利用者の思い入れの楽曲を表示する技術として、以下の特許文献で提案されているものがある。当該特許文献は、所定の利用者が個人別曲目リストを保存しておきき、当該利用者の入力に応じて当該個人別曲目リストを表示するもので、個人別曲目リストには、楽曲を個人別に分類するための分類カテゴリ欄を設定して当該分類カテゴリに基づいて当該個人別曲目リストを検索し、抽出された曲目集合を表示するというものである。
【０００４】
【特許文献１】特開２００４−１２６１４５号公報
【発明の開示】
【発明が解決しようとする課題】
【０００５】
しかしながら、上記特許文献は、個人別に思い入れ楽曲を分類カテゴリで分類しておくことから当該分類カテゴリを利用者が選択して入力しなければならず、選曲に際して必ずしも効率的ではない。
【０００６】
そこで、本発明は上記課題に鑑みなされたもので、カレンダに応じた利用者の望む楽曲を自動選曲可能とし、選曲の効率化、選曲時の利便性の向上を図る自動選曲機能を備えるカラオケシステムを提供することを目的とする。
【課題を解決するための手段】
【０００７】
上記課題を解決するために、請求項１の発明では、利用者の選曲に対して予約待ち行列に登録するものであり、所定の利用者の特定の楽曲を自動的に当該予約待ち行列に登録させる自動選曲機能を備えるカラオケシステムであって、利用者データベース、利用者ＩＤ取得部、指定楽曲取得手段、自動選曲処理手段を有するものであり、前記利用者データベースには、少なくとも、利用者毎に、当該利用者が指定する楽曲につき、利用者が設定した歌唱指定日、歌唱期間、歌唱指定曜日、歌唱指定日に歌唱指定曜日の組み合わせ、又は、前記歌唱期間に歌唱指定曜日の組み合わせが登録され、前記利用者ＩＤ取得部は、利用者より利用者ＩＤを取得し、前記指定楽曲取得手段は、取得した利用者ＩＤに基づいて、前記利用者データベースに登録されている指定楽曲情報を取得し、前記自動選曲処理手段は、前記取得した当該利用者の指定楽曲情報に基づいて、利用日と、前記歌唱指定日、歌唱期間、歌唱指定曜日、歌唱指定日に歌唱指定曜日の組み合わせ、又は、歌唱期間に歌唱指定曜日の組み合わせとが合致した楽曲を抽出して前記予約待ち行列に登録させる、構成とする。
【発明の効果】
【０００８】
本発明によれば、利用者データベースに、利用者毎に利用者が歌唱指定日、歌唱期間、歌唱指定曜日、歌唱指定日に歌唱指定曜日の組み合わせ、又は、前記歌唱期間に歌唱指定曜日の組み合わせを設定した所定数の指定楽曲が登録され、取得した利用者ＩＤに基づいて登録されている指定楽曲情報を取得し、当該利用者の指定楽曲情報に基づいて利用日と、歌唱指定日、歌唱期間、歌唱指定曜日、歌唱指定日に歌唱指定曜日の組み合わせ、又は、歌唱期間に歌唱指定曜日の組み合わせとに合致した楽曲を抽出して予約待ち行列に登録させる構成とすることにより、カレンダに応じた利用者の望む楽曲を自動選曲可能とし、選曲の効率化、選曲時の利便性の向上を図ることができるものである。
【発明を実施するための最良の形態】
【０００９】
以下、本発明の最良の実施形態を図により説明する。
図１に、本発明に係るカラオケシステムの系統構成図を示す。図１（Ａ）は通信ネットワークを使用して本システムを構成させた場合のネットワーク模式図、図１（Ｂ）はホスト装置の概要ブロック構成図、図１（Ｃ）は利用者データベースの説明図である。
【００１０】
図１（Ａ）において、ホスト装置１１はカラオケシステムの一部を構成するものとして、通信ネットワーク１２を介して所定数のカラオケ演奏端末１３（１３Ａ〜１３Ｎ）を管理するものであり、相互にデータ授受自在に接続されたものである。上記通信ネットワーク１２としては、例えば、一般公衆電話回線やこれを用いたＡＤＳＬや光通信回線或いはインターネット、さらにはＬＡＮがあるが、インターネット上に構築されるＶＰＮが好ましい。
【００１１】
ホスト装置１１は、図１（Ｂ）に示すように、少なくとも送受信手段２１、制御手段２２及び利用者データベース（ＤＢ）２３を備え、当該利用者ＤＢ２３は利用者毎の利用者情報を備える。上記送受信手段２１は、各カラオケ演奏端末１３（１３Ａ〜１３Ｎ）との通信（データ授受）を行うために、通信ネットワーク１２の通信方式と整合性をとるための例えば物理的な通信用回路やプラットフォーム等のソフトウエアにより構成される。
【００１２】
上記制御手段２２は、当該ホスト装置１１を統括的に制御するもので、例えば物理的なＣＰＵであり、図示しないＲＯＭに格納されているプログラムのアルゴリズム処理を行う。ここでは、所定のカラオケ演奏端末１３より利用者ＩＤに基づいて利用者情報が要求されたときに、利用者ＤＢ２３より当該利用者ＩＤに関連付けられた基本的な情報等を当該カラオケ演奏端末１３に送出する。
【００１３】
上記利用者ＤＢ２３は、図１（Ｃ）に示すように、利用者毎に所定の情報が登録されたデータベースであり、例えば氏名、住所、ニックネーム、登録者の顔写真等のイメージファイル名などの利用者基本情報の他に、パーソナル曲目として少なくとも当該利用者がカレンダ要素に基づいて設定した所定数の指定楽曲が登録される。ここでは、カレンダ要素として、指定月日、指定曜日を指定させて所定数の楽曲が指定楽曲として示している（指定楽曲の登録については図４で説明する）。また、継続日数も適宜関連付けられる。継続日数とは、当該指定日より何日間有効とするかの表示日数である。なお、歌唱指定日に歌唱指定曜日の組み合わせ、又は、歌唱期間に歌唱指定曜日の組み合わせを適宜含ませてもよい。
【００１４】
続いて、図２に、本発明のカラオケシステムにおけるカラオケ演奏端末のブロック構成図を示す。図２において、カラオケ演奏端末１３は、主要装置としてのカラオケ演奏装置３１に有線又は無線で外部接続されるものとして、表示部３２、ミキシングアンプ３３、マイク３４、スピーカ３５を備える。また、有線又は無線で遠隔入出力端末３６が接続される。当該遠隔入出力端末３６は、図３で説明する。
【００１５】
上記表示部３２は、通常の楽曲選曲表示やカラオケ演奏時の映像、歌詞テロップを表示するもので、例えば液晶ディスプレイ（ＬＣＤ）、プラズマディスプレイ（ＰＤＰ）、その他種々のディスプレイを採用することができる。上記ミキシングアンプ３３は、カラオケ演奏装置３１より送られてくる演奏データとマイク３４からの音声信号をミキシングし、増幅してスピーカ３５より出力する。
【００１６】
上記カラオケ演奏装置３１は、バス４１、中央制御部４２、ＲＯＭ４３、ＲＡＭ４４、楽曲ＤＢ４５、映像ＤＢ４６、再生制御部４７、音楽曲出力部４８及び送受信部５０Ａ，５０Ｂを適宜備える。また、ＲＡＭ４４には、予約待ち行列５１の領域が形成される。なお、上記各構成について、本発明の要旨と直接関連しない要素部分であっても、従前のカラオケ演奏装置においても大部分が適用可能であることを示すために、装置全体を説明する。
【００１７】
上記中央制御部４２は、このシステムを統括的に処理制御する物理的なＣＰＵであり、ＲＯＭ４３に記憶されているプログラムに基づくアルゴリズム処理を行う。上記ＲＡＭ４４は、後述する予約待ち行列５１の記憶領域が形成される他に、上記種々のプログラムを展開、実行させるための作業領域としての役割をなすもので、例えば半導体メモリで構成され、仮想的にハードディスク上に構築される場合をも含む概念である。
【００１８】
上記楽曲ＤＢ４５は、楽曲ＩＤ、曲名及びアーチスト名が関連付けられた楽曲テーブルを有し、楽曲ＩＤで管理される所定データ形式のカラオケ楽曲の演奏データ（ＭＩＤＩデータ）及び歌詞テロップデータが同期されて構成される楽曲データ（ファイル）について楽曲コードをファイル名としてそれぞれ格納したデータベースであり、映像ＤＢ４６に格納された当該楽曲毎の背景映像を表示するための所定数のシーン映像を割り当てる割当データが関連付けられる。当該映像ＤＢ４６は、背景映像表示のための所定数のシーン映像データを所定数格納するデータベースである。なお、この楽曲ＤＢ４５及び映像ＤＢ４６を、カラオケ演奏装置３１ではなく、上記ホスト装置１１に備えさせることとしてもよい。
【００１９】
上記再生制御部４７は、演奏時に、映像ＤＢ４６より抽出された所定数のシーン映像データ及び楽曲コードで楽曲ＤＢ４５より抽出された歌詞テロップデータ（歌詞文字データ）を当該楽曲の演奏データに同期させて表示部３２に出力する電子回路である。上記音楽曲出力部４８は、楽曲コードで楽曲ＤＢ４５より抽出された演奏データをデジタル再生し、アナログ変換してミキシングアンプ３３に出力する電子回路である。
【００２０】
上記送受信部５０Ａは、遠隔入出力端末３６との間で有線方式ないし無線方式（ＩＲ方式やブルートゥース（登録商標）機構のピコネット接続方式など）を利用してデータ授受を行うためのもので、そのための電子回路及びプログラムである。上記送受信部５０Ｂは、上記ホスト装置１１と上記通信ネットワーク１２を介してデータ授受を行うためのもので、通信方式と整合性をとるための例えば物理的な通信用回路やプラットフォーム等のソフトウエアにより構成されるものである。また、後述の遠隔入出力端末３６は、送受信部５０Ａ，５０Ｂを介してホスト装置１１とデータ授受が可能とされる。
【００２１】
なお、ＲＡＭ４４に形成される予約待ち行列５１は、後述の遠隔入出力端末３６で選曲された楽曲ＩＤが送受信部５０Ａを介して送信されてきたときに、中央制御部４２が当該送信されてきた楽曲ＩＤを予約順に記憶させていくデータ記憶領域である。ここでは、遠隔入出力端末３６から、歌唱者の利用者ＩＤと共に選曲楽曲（楽曲ＩＤ）が予約待ち行列５１に順次記憶される。
【００２２】
また、図示しないが、当該カラオケ演奏装置３１には、利用者が楽曲番号を直接入力したり、演奏楽曲のテンポや、歌唱音声に対する種々の調節を行うためのボタンやツマミ類が可変抵抗器等の電子素子に直結された操作パネルも接続される。ところで、カラオケ演奏端末１３をスタンドアローンのカラオケシステムとして適用させる場合には上記ホスト装置１１の利用者ＤＢ２３を備えさせる構成とすることにより実現することができるものである。
【００２３】
続いて、図３に、図２におけるカラオケ演奏端末の遠隔入出力端末のブロック構成図を示す。図３において、遠隔入出力端末３６は、バス６１、端末制御部６２、ＲＯＭ６３、ＲＡＭ６４、入出力制御部６５、端末表示部６６、楽曲検索手段６７、利用者ＩＤ取得部６８、楽曲指定登録手段６９、指定楽曲取得手段７１を備える利用者情報取得手段７０、自動選曲処理手段７２及び端末送受信部７３を適宜備える。また、ＲＡＭ６４には、所定の利用者ＩＤに関連付けられた利用者別情報記憶部７４の記憶領域が形成される。当該利用者別情報記憶部７４には、指定楽曲情報７５の記憶領域が形成される（後述する）。
【００２４】
上記端末制御部６２は、当該遠隔入出力端末３６を統括的に処理制御する物理的なＣＰＵであり、ＲＯＭ６３に記憶されているプログラムに基づくアルゴリズム処理を行う。当該端末制御部６２は、カレンダ機構６２Ａを備え、当日の日付、曜日をカウントする。このカウントデータが利用日のカレンダ要素及び表示対象期間の基準とされる。
【００２５】
上記ＲＡＭ６４は、利用者別情報記憶部７４（上記指定楽曲情報７５）の記憶領域が形成される他に、上記種々のプログラムを展開、実行させるための作業領域としての役割をなすもので、例えば半導体メモリで構成され、仮想的にハードディスク上に構築される場合をも含む概念である。
【００２６】
上記端末表示部６６は、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するもので、上記入出力制御部６５は、当該端末表示部６６に表示データを出力して楽曲検索画面等を表示させると共に、当該ＧＵＩによるデータ入力を行う電子回路及びプログラムである。また、上記楽曲検索手段６７は、上記ユーザインタフェース機能により利用者に楽曲を検索させるプログラムである。
【００２７】
上記利用者ＩＤ取得部６８は、利用者のログイン要求で所持するＩＣカード等が提示された時に、当該ＩＣカード等から利用者ＩＤを取得する電子回路及びプログラムである。なお、利用者ＩＤ取得部６８を、カラオケ演奏装置３１に備えさせてもよい。
【００２８】
上記楽曲指定登録手段６９は、後述の図４（Ｂ）及び図５で示すように、端末表示部６６におけるタブ形式の表示画面上で、所定の利用者が利用者ＩＤに基づいて、所定数の指定楽曲につき、カレンダ要素に基づいて設定した歌唱指定月日及び継続日数（歌唱指定期間）、又は指定曜日（歌唱指定日に歌唱指定曜日の組み合わせ、又は、歌唱期間に歌唱指定曜日の組み合わせでもよい）を、図１（Ｃ）に示すように上記ホスト装置１１の利用者ＤＢ２３に登録し、また、他のタブで指定楽曲情報７５を端末表示部６６に表示させるプログラムである。
【００２９】
当該利用者ＩＤと歌唱指定月日及び継続日数（歌唱指定期間）、又は指定曜日（歌唱指定日に歌唱指定曜日の組み合わせ、又は、歌唱期間に歌唱指定曜日の組み合わせでもよい）が設定された指定楽曲の楽曲ＩＤは、カレンダ登録される楽曲として、端末送受信部７３、カラオケ演奏装置３１の送受信部５０Ａ，５０Ｂ、通信ネットワーク１２を介してホスト装置１１に送信される。
【００３０】
上記利用者情報取得手段７０は、上記利用者ＩＤ取得部６８で取得した利用者ＩＤに基づき後述の端末送受信部７３よりカラオケ演奏装置３１の送受信部５０Ａ，５０Ｂ、通信ネットワーク１２を介してホスト装置１１の利用者ＤＢ２３より利用者情報を取得し、当該利用者ＩＤに関連付けてＲＡＭ６４の利用者別情報記憶部７４に記憶させるプログラムである。
【００３１】
上記利用者情報は、例えば図１（Ｃ）で示すニックネーム、イメージ（顔写真等）などの利用者基本情報の他に、指定楽曲取得手段７１が取得する当該利用者ＩＤに関連付けられて登録されている指定楽曲（楽曲ＩＤ）からなる指定楽曲情報である。ホスト装置１１の利用者ＤＢ２３より取得した当該指定楽曲の情報は、ＲＡＭ６４の利用者別情報記憶部７４に設けられた指定楽曲情報７５の記憶エリアに記憶される。
【００３２】
上記自動選曲処理手段７２は、取得した当該利用者の指定楽曲情報７５に基づいて、利用日と、前記歌唱指定日、歌唱期間、歌唱指定曜日、歌唱指定日に歌唱指定曜日の組み合わせ、又は、歌唱期間に歌唱指定曜日の組み合わせとが合致した楽曲を抽出してカラオケ演奏装置３１に送信して予約待ち行列５１に登録するプログラムである（図６、図７で説明する）。
【００３３】
そして、上記端末送受信部７３は、カラオケ演奏装置３１（送受信部５０Ａ）に対して有線方式ないし無線方式（ＩＲ方式やブルートゥース機構のピコネット接続方式など）を利用してデータ授受を行うためのもので、そのための電子回路及びプログラムを備えるものである。
【００３４】
そこで、図４に図３における楽曲指定登録の説明図を示すと共に、図５に図３における指定楽曲表示の説明図を示す。遠隔入出力端末３６において、例えば、所定の利用者が利用者名（利用者ＩＤ）を明示して、図４（Ａ）に示すような「楽曲検索」、「楽曲のカレンダ登録」などのメニュー表示より、「楽曲のカレンダ登録」を選択すると、楽曲指定登録手段６９が実行されて図４（Ｂ）に示すような楽曲指定登録画面が端末表示部６６にタブ形式で「楽曲のカレンダ登録」のタブと、「カレンダ指定楽曲」のタブとで表示される。ここでは、歌唱指定日、歌唱期間、歌唱指定曜日を指定させるものとして説明する（歌唱指定日に歌唱指定曜日の組み合わせ、又は、前記歌唱期間に歌唱指定曜日の組み合わせを含ませてもよい）。
【００３５】
当該「楽曲のカレンダ登録」のタブ画面が選択されると、登録楽曲の順位（例えば「第１楽曲」）を選択させて曲名、楽曲ＩＤを、例えば楽曲検索手段６７と連動させて選択させる。続いて、日付指定の有無を選択させ、日付指定「有」とされた場合には、曜日指定が設定不能とされ、月日と表示対象期間を設定させる。一方、日付指定「無し」の場合には曜日設定欄で曜日を設定させる。
【００３６】
そして、上記各設定が完了し、「登録」が選択されることにより、利用者ＩＤ及び指定楽曲の楽曲ＩＤに日付（表示対象期間としての継続日数）若しくは曜日の情報が附帯されて、端末送受信部７３、カラオケ演奏装置３１の送受信部５０Ａ，５０Ｂ、通信ネットワーク１２を介してホスト装置１１に送信され、利用者ＤＢ２３に登録されるものである。
【００３７】
また、「カレンダ指定楽曲」のタブが選択された場合には、当該画面では、図５に示すように、当該利用者の利用者ＩＤに対応する指定楽曲情報７５に基づいて、当該利用者がカンレダ登録した総ての指定楽曲を、「カレンダ（カレンダ要素）」、「曲名」、「期間」として、例えば登録の取消可能に表示するものである。
【００３８】
次に、図６に図３における登録指定楽曲の自動選曲処理のフローチャートを示すと共に、図７に予約待ち行列に登録された楽曲の表示例の説明図を示す。図６において、所定の利用者のログイン要求に応じて利用者ＩＤ取得部６８が利用者ＩＤを取得し（ステップ（Ｓ１）、利用者情報取得手段７０（指定楽曲取得手段７１）が取得した利用者ＩＤに基づいて、端末送受信部７３、カラオケ演奏装置３１（送受信部５０Ａ，５０Ｂ）、通信ネットワーク１２を介してホスト装置１１にアクセスし、利用者ＤＢ２３の対応する利用者ＩＤの利用者基本情報と共に指定楽曲の情報を取得し、ＲＡＭ６４における利用者別情報記憶部７４に利用者基本情報を記憶し、また、指定楽曲情報７５として記憶する（Ｓ２）。
【００３９】
そこで、自動選曲表示処理手段７２が、指定楽曲情報７５を参照し、端末制御部６２のカレンダ機構６２Ａによる本日の日付（曜日）に合致するカレンダ要素が存在するか否かを判断する（Ｓ３）。存在する場合には（Ｓ４）、当該楽曲ＩＤに適宜利用者ＩＤを附帯させてカラオケ装置３１に送信することにより、予約待ち行列５１に登録されるものである（Ｓ５）。また、存在しない場合には終了する。これら処理は、ログインした利用者（利用者ＩＤ）毎に行われる。
【００４０】
上記予約待ち行列５１に登録された上記登録指定楽曲を含む楽曲を、所定の利用者の表示要求によって表示部３２に表示した場合、図７に示すように、例えば通常の曲目及び選曲者の表示の他に、カレンダ要素に適合した楽曲であることの表示（例えば「カレンダ楽曲」）を行うこととしてもよい。
【００４１】
なお、日の日付（曜日）が当該指定楽曲情報７５中のカレンダ要素に存在しない場合には（Ｓ３）、指定楽曲の自動登録処理は終了されるが、例えば図７の本日推薦曲の画面上に、例えば「なし」の表示をすることとしてもよい。
【００４２】
このように、利用者ＤＢ２３にカレンダ要素に基づいて設定した所定数の指定楽曲を登録させておくことで、カレンダに応じた利用者の望む楽曲を自動的に予約待ち行列に登録可能とし、選曲の効率化、選曲時の利便性の向上を図ることができるものである。
【００４３】
ところで、上記実施形態では、上記指定楽曲取得手段７１において利用者ＩＤの取得時に、ホスト装置１１の利用者ＤＢ２３より登録された総ての指定楽曲情報を取得する場合を示したが、利用日のカレンダ要素（日付、曜日など）を判断して該当のカレンダ要素に適合する指定楽曲のみの情報を取得することとしても同様の効果を奏するものである。
【産業上の利用可能性】
【００４４】
本発明の自動選曲機能を備えるカラオケシステムは、カラオケの基本的機能を備えるカラオケ装置の分野に利用可能である。
【図面の簡単な説明】
【００４５】
【図１】本発明に係るカラオケシステムの系統構成図である。
【図２】本発明のカラオケシステムにおけるカラオケ演奏端末のブロック構成図である。
【図３】図２におけるカラオケ演奏端末の遠隔入出力端末のブロック構成図である。
【図４】図３における楽曲指定登録の説明図である。
【図５】図３における指定楽曲表示の説明図である。
【図６】図３における指定楽曲の自動選曲処理のフローチャートである。
【図７】予約待ち行列に登録された楽曲の表示例の説明図である。
【符号の説明】
【００４６】
１１            ホスト装置
１３            カラオケ演奏端末
２３            利用者ＤＢ
３１            カラオケ演奏装置
３６            遠隔入出力端末
５１            予約待ち行列
６２Ａ          カレンダ機構
６６            端末表示部
６８            利用者ＩＤ取得部
６９            指定楽曲登録手段
７０            利用者情報取得手段
７１            指定楽曲取得手段
７２            自動選曲処理手段
７４            利用者別情報記憶部
７５            指定楽曲情報
【図１】
0005197071.tif 000002
【図２】
0005197071.tif 000003
【図３】
0005197071.tif 000004
【図４】
0005197071.tif 000005
【図５】
0005197071.tif 000006
【図６】
0005197071.tif 000007
【図７】
0005197071.tif 000008